(57)【要約】【課題】  就寝時の姿勢を正しく保って、安定した状態に身体を保持して、就寝者に快感な寝心地を付与して、安眠を促すことを可能とし、保管および取り扱いが容易になるようにした構造の敷き布団を得る。【解決手段】  身体と接する表面層１０と床面と接する裏面層２０との間にクッション部材が収容され、このクッション部材は、３分割されており、表面層１０と裏面層２０とを桟付きマチ１ａ、１ｂで仕切ることで形成される３つの室に、分割されたクッション部材からなるブロック３１・・がそれぞれ収容されている。クッション部材は、低反発クッション部材層３２と高弾性クッション部材層３３との二重構造であり、高弾性クッション部材層３３にはキューブ状カット面が形成され、柱状クッション部材が適宜装填されている。【選択図】図２
2005193007.tif 000002
【特許請求の範囲】
【請求項１】
身体と接する表面層と床面と接する裏面層との間にクッション部材を介在させてなる敷き布団であって、
前記表面層と裏面層とを所定の間隔をおいてマチで連結することで形成された複数の空洞部に、長手方向に複数に分割されたクッション部材がそれぞれ収容されていることを特徴とする敷き布団。
【請求項２】
前記クッション部材が発泡ウレタン材であることを特徴とする請求項１記載の敷き布団。
【請求項３】
前記クッション部材が多層構造であることを特徴とする請求項１記載の敷き布団。
【請求項４】
前記表面層には綿材／羊毛が充填され、裏面層には吸放湿性繊維が充填されていることを特徴とする請求項１ないし請求項３のいずれか１項に記載の敷き布団。
【請求項５】
前記表面層は、羊毛層と混固わた層とを重ねた二重構造となっていることを特徴とする請求項１ないし請求項３のいずれか１項に記載の敷き布団。
【請求項６】
前記分割された個々のクッション部材は、通気性生地で被包されていることを特徴とする請求項１ないし請求項５のいずれか１項に記載の敷き布団。
【請求項７】
前記クッション部材は、通気性層と吸着層と姿勢保持層と吸湿層とを重ねた４重構造となっていることを特徴とする請求項３ないし請求項６のいずれか１項に記載の敷き布団。
【請求項８】
前記クッション部材は、低反発クッション部材層と高弾性クッション部材層とを重ねた２重構造となっていることを特徴とする請求項３ないし請求項６のいずれか１項に記載の敷き布団。
【請求項９】
前記低反発クッション部材層は、その上面がプロファイル加工されており、高弾性クッション部材層は、低反発クッション部材層と接触する表面が縦横の溝によってキューブ状カット面となっていることを特徴とする請求項８に記載の敷き布団。
【請求項１０】
高弾性クッション部材層に形成されるキューブ状カット面の大きさを、就寝者の臀部に位置する場所では大型とし、背部と脚部に位置する場所では中型とし、頭部と足部に位置する場所では小型としたことを特徴とする請求項９に記載の敷き布団。
【請求項１１】
高弾性クッション部材層には、厚み方向に沿って貫通孔が穿孔されており、この貫通孔には、高弾性クッション部材層より硬度の高い柱状クッション部材が装填されていることを特徴とする請求項８ないし請求項１０のいずれか１項に記載の敷き布団。
【請求項１２】
貫通孔のうち、長手方向の中心線位置に沿った場所の貫通孔には、高弾性クッション部材層をなすクッション部材よりも硬度の高い柱状クッション部材が装填され、前記中心線を挟んで両側の離れた場所の貫通孔には、それよりも硬度の低い柱状クッション部材が装填されていることを特徴とする請求項１１に記載の敷き布団。
【発明の詳細な説明】
【技術分野】
【０００１】
本発明は、就寝時に就寝者の体圧を均等に分散して受け止めて、身体を心地よく支持して安眠を促進し得ると共に、芯材となるクッション部材、例えば、発泡ウレタン材の配置を、保管および取り扱いが容易になるようにした構造の敷き布団に関するものである。
【背景技術】
【０００２】
寝具としての敷き布団は、就寝時に就寝者のリラックスした身体を、正しい姿勢に保持して、柔らかく包み込んだ状態にして支持する構造とすることが、安眠を促進させるとされている。
従来、この種の敷き布団として、その芯材として発泡ウレタン等からなるクッション性を有するものを使用したものが各種提案されている。
【０００３】
しかるに、上記発泡ウレタンからなる芯材を使用したものでは、敷き布団の形状に合わせて一枚の板状の発泡ウレタン材をそのまま布製包袋に収容して被覆したものが多く、保管にあたって、弾性を有しているため、折り畳みが困難で嵩張ることとなって収納保管に不都合であった。
このようなことより、図６に図示するように、敷き布団の長手方向に沿って３分割した形状の発泡ウレタン５１・・をそれぞれ個別に布製包袋５２・・に収容して被覆して発泡ウレタン材５３・・とし、これら発泡ウレタン材５３・・・を、敷き布団の形状になるように、これらの縁辺を結合布帯５４で連結して一体化した構造のものが知られている。
この構造のものにあっては、結合布帯５４での折曲が可能であって、収容保管にあたっての不都合は解消し得る。しかし、使用時に上記結合布帯５４の部分が、体重の負荷によりＶ字状に開離し、身体の支持が不安定となり、安眠を妨げることとなっていた。
【０００４】
また、芯材として使用している発泡ウレタンにあっては、就寝者の身体の部位によって受ける体圧の差異があるため、身体の部位の沈み込みに差が生じ、例えば臀部や胸部が沈み込み、腰部が浮き上がって「く」の字状や、「Ｗ」字状になって支持されて、正しい姿勢を保って支持されず、違和感が生じることとなっていた。この結果、安眠が妨げられるなどの問題があった。
【特許文献１】特開２００１−３２７３６６号公報
【特許文献２】特開２００２−３６９７３３号公報
【特許文献３】特開２００３−２４１８４号公報
【発明の開示】
【発明が解決しようとする課題】
【０００５】
本発明は、上記事情に鑑みなされたもので、就寝時において、就寝者の身体の体圧を均一に支持し、就寝時の姿勢を正しく保って、安定した一様な状態に身体を保持して、就寝者に良好な寝心地を付与せしめて、安眠を促すことを可能とすると共に、保管および取り扱いが容易になるようにした構造の敷き布団を提供することを課題とするものである。
【課題を解決するための手段】
【０００６】
本発明は、上記課題を解決するため、以下の解決手段を講ずるものである。
本発明は、身体と接する表面層と床面と接する裏面層との間にクッション部材を介在させてなる敷き布団であって、前記表面層と裏面層とを所定の間隔をおいてマチで連結することで形成された複数の空洞部に、長手方向に複数に分割されたクッション部材がそれぞれ収容されていることを特徴とする敷き布団である。
また、本発明は、前記クッション部材が発泡ウレタン材であることを特徴とする敷き布団である。
【０００７】
また、本発明は、前記クッション部材が多層構造であることを特徴とする敷き布団である。
また、本発明は、前記表面層には綿材／羊毛が充填され、裏面層には吸放湿性繊維が充填されていることを特徴とする敷き布団である。
【０００８】
また、本発明は、前記表面層が、羊毛層と混固わた層とを重ねた二重構造となっていることを特徴とする敷き布団である。
また、本発明は、前記分割された個々のクッション部材は、通気性生地で被包されていることを特徴とする敷き布団である。
また、本発明は、前記クッション部材が通気性層と吸着層と姿勢保持層と吸湿層とを重ねた４重構造となっていることを特徴とする敷き布団である。
また、本発明は、前記クッション部材は、低反発クッション部材層と高弾性クッション部材層とを重ねた２重構造となっていることを特徴とする敷き布団である。
【０００９】
また、本発明は、前記低反発クッション部材層は、その上面がプロファイル加工されており、高弾性クッション部材層は、低反発クッション部材層と接触する表面が縦横の溝によってキューブ状カット面となっていることを特徴とする敷き布団である。
また、本発明は、高弾性クッション部材層に形成されるキューブ状カット面の大きさを、就寝者の臀部に位置する場所では大型とし、背部と脚部に位置する場所では中型とし、頭部と足部に位置する場所では小型としたことを特徴とする敷き布団である。
また、本発明は、高弾性クッション部材層には、厚み方向に沿って貫通孔が穿孔されており、この貫通孔には、高弾性クッション部材層より硬度の高い柱状クッション部材が装填されていることを特徴とする敷き布団である。
また、本発明は、貫通孔のうち、長手方向の中心線位置に沿った場所の貫通孔には、高弾性クッション部材層をなすクッション部材よりも硬度の高い柱状クッション部材が装填され、前記中心線を挟んで両側の離れた場所の貫通孔には、それよりも硬度の低い柱状クッション部材が装填されていることを特徴とする敷き布団である。
【発明の効果】
【００１０】
本発明の敷き布団は、以下の効果を奏する。
芯材となるクッション部材が、例えば３分割され、それぞれが独立した室内に収容されているので、敷き布団を３層に折曲してコンパクトに畳むことができ収納保管可能となり、保管管理の空間を有効に活用し得ると共に、布団の床敷き・床上げ作業や運搬作業が容易となる。また、使用中に体圧が負荷されても、クッション部材の移動、重なりが生じることが無く、その結果体圧の負荷によって分割された隣接するクッション部材間に隙間が生じることが無く安定した平面を保持することが出来る。
【００１１】
また、クッション部材を例えば３分割して、それぞれの室に収容したので、クッション部材の出し入れが容易となり、布団のクリーニングが容易となる。さらに、分割したクッション部材を通気性生地の袋で被包したものでは、各室内への出し入れにあたって、表面層および裏面層の中生地との摩擦が低減され、クッション部材の出し入れを容易にする。
【００１２】
また、本発明の敷き布団にあっては、身体と接する表面層は綿材／羊毛を主材料として充填した構成としているので、就寝者の身体をふんわりと柔らかく包み込み、就寝者に心地よい感触を付与し、安眠を促進する効果を奏する。他方、床面と接する裏面層は吸放湿性繊維を主材料として充填した構成としているので、就寝時に身体から発散される湿分を効果的に吸収し、湿分による就寝者に及ぼす弊害を防止すると共に、吸湿した湿分を速やかに放出し、布団および畳等の床面の劣化を防ぐ効果を奏するものである。
また、表面層が羊毛層と混固わた層とを重ねた二重構造となっているので、羊毛層によって就寝者を軟らかく包み込むとともに、混固わた層によってクッション部材への就寝者の耐圧の伝達をスムーズにし適正な体圧分散をサポートする効果を奏する。
【００１３】
さらに、上記表面層と裏面層との間の介在せしめるクッション部材として、低反発クッション部材層と高弾性クッション部材層とを上下に重ねた２重層として構成することによって、これらの異なるクッション特性が組合わさった相乗効果を発揮し、就寝者の身体の体圧を最適な体圧分布でもって受け止める効果を奏する。
また、クッション部材を通気性層と吸着層と姿勢保持層と吸湿層とを重ねた４重構造としたので、それらの異なる特性が組合わさった、さらなる相乗効果を発揮し、就寝者に快適な就寝状態を提供する効果を奏する。
その上、低反発クッション部材層の上面を、緩やかな凹凸模様のプロファイル加工することにより、体圧を分散し易くして就寝者の身体になじみやすくする効果を奏する。
【００１４】
さらに、高弾性クッション部材層の低反発クッション部材層との接触面を、縦横に削溝した溝でキューブ状カット面とし、かつ該キューブ状カット面の大きさを、就寝者が就寝した時に頭部が位置する場所と足部が位置する場所を小さな大きさとし、背部と脚部が位置する場所を中位の大きさとし、そして臀部が位置する場所を大きなカット面として形成することによって、体圧分布が均等となり、体圧がほどよく分散される効果を奏する。
【００１５】
また、本発明の敷き布団にあっては、クッション部材の高弾性クッション部材層に、厚み方向に沿って貫通孔を穿孔し、該貫通孔により硬度の硬い異質のクッション部材を柱状にして挿入装填することによって、指圧効果を付与せしめる効果を奏する。
そして、この場合、敷き布団の長手方向の中心線位置に沿った場所の貫通孔には、クッション部材層よりも硬度の高い柱状のクッション部材を装填し、そして前記中心線を挟んだ両側の離れた場所の貫通孔には、これよりも低い硬度の柱状のクッション部材を装填して配したり、また身体の形に合わせて装填する柱状クッション部材の数を中央部（臀部）の場所には多くし、頭部や足部が位置する布団の両端部の場所には少い数を配すると、より効果的な指圧効果を発揮する。
また、上記柱状クッション部材を装填した貫通孔は、就寝時の就寝者の体圧を受けて僅かな隙間が生じることで、クッション部材の通気性を確保する効果をも奏する。
【発明を実施するための最良の形態】
【００１６】
本発明の敷き布団を実施するための最良の形態について、図面を参照して説明する。
図１は、本発明の敷き布団の一例を説明する一部切開した斜視図である。
図１において、この例の敷き布団１００は、就寝時に就寝者の横臥した身体と接する表面層１０と、畳等の床面と接する裏面層２０と、芯材となるクッション部材、例えば、発泡ウレタン材３０と、表面層１０と裏面層２０との周縁部をつなぎ、発泡ウレタン材３０を収容する室を形成する周部マチ生地４０とから概略構成されている。
【００１７】
図２は、図１の敷き布団１００を長手方向Ａ−Ａ’線に沿って切断した断面図であり、図３は分解斜視図である。これら図１ないし図３に基づいてこの例の敷き布団１００を構成する表面層１０、裏面層２０、発泡ウレタン材３０、周部マチ生地４０について詳細に説明する。
【００１８】
＜表面層１０の構成＞
就寝者の身体と接する表面層１０は、表生地１２と中生地１３を敷き布団の形状の長方形状にして、これらの間にニードル綿などの綿材や羊毛、ポリエステル綿、羽毛などの詰め物１１を配置して重ね合わせ、多頭ミシンキルトなどの縫製を施して、これら一体化すると共に、これら表生地１２と中生地１３の縁辺部を縫い合わせたものである。
そして、中生地１３の下面には、表面層１０の長さを３分割（なお、３分割に限られず、２〜５分割であってもよい。）する位置に２つの桟付きマチ１ａ、１ｂが縫い付けられて取り付けられている。なお、表生地１２としてはニット素材が好適に使用される。又、中生地１３としてポリエステル／木綿混紡生地が用いられる。桟付きマチ１ａ、１ｂにはメッシュ生地が用いられる。
【００１９】
＜裏面層２０の構成＞
畳等の床面と接する裏面層２０は、裏生地２２と中生地２３を敷き布団の形状の長方形状にして、これらの間に吸放湿性が良好な吸放湿性繊維、ポリエステル綿などの詰め物２１を配置して重ね合わせ、多頭ミシンキルトなどの縫製を施してこれら一体化すると共に、これら裏生地２２と中生地２３の縁辺部を縫い合わせたものである。そして、前記中生地２３の上面には、裏面層２０の長さを３分割する位置に２つの桟付きマチ１ａ、１ｂがやはり縫い付けられて取り付けられている。この桟付きマチ１ａ、１ｂは、表面層１０に取り付けられたものと同一物である。
なお、裏生地２２としては綿サテンが好適に使用される。又、中生地２３としてポリエステル／木綿混紡生地が用いられる。更に、桟付きマチ１ａ、１ｂにはメッシュ生地が用いられる。そして、吸放湿性繊維としては、東洋紡社製のモイスケア（登録商標）が好適である。
【００２０】
また、このような表面層１０と裏面層２０とは、それらの周縁部において、ラインベロアなどの周部マチ生地４０によって縫い合わせられて一体化され、その内部には芯材となる発泡ウレタン材３０が収容される空間が形成されている。また、周部マチ生地４０と表面層１０および裏面層２０との縫い合わせ部には、これらの縫い合わせによって形成されたヘム２４が全周にわたって設けられている。
また、この周部マチ生地４０には、上述の内部空間に発泡ウレタン材３０を出し入れするためのファスナー２が取り付けられている。さらに、表面層１０と裏面層２０とは、上記桟付きマチ１ａ、１ｂによっても縫い合わされており、この桟付マチ１ａ、１ｂによって、内部空間が３つの室（空洞部）３ａ、３ｂ、３ｃに分割された状態になっている。
【００２１】
＜発泡ウレタン材３０の構成＞
発泡ウレタン材３０は、表面層１０側の低反発発泡ウレタン層（低反発クッション部材層）３２と、裏面層２０側の高弾性発泡ウレタン層（高弾性クッション部材層）３３とを積層した２重構造となっており、この発泡ウレタン材３０は、その長手方向に３分割（なお、３分割に限られず、２〜５分割でもよい。）されて、３個のブロック３１・・となっており、これらブロック３１・・のそれぞれが、上述の表面層１０と裏面層２０との間の桟付きマチ１ａ、１ｂによって分割された室３ａ、３ｂ、３ｃに出し入れ可能に収容されている。
【００２２】
また、発泡ウレタン材３０の個々のブロック３１は、通気性、滑り性が良好なメッシュ生地などからなる袋に収められており、このブロック３１は、カセット式として、各室３１ａ、３１ｂ、３１ｃへの出し入れや取り扱いが容易になっており、かつ発泡ウレタン材３０内部に湿気がたまることがないようになっている。
また、発泡ウレタン材３０の低反発発泡ウレタン層３２の上表面には、緩やかな凹凸模様のプロファイル加工（図示略）が施されており、就寝者の身体に馴染み易く、体圧を分散し易くしている。
【００２３】
さらに、高弾性発泡ウレタン層３３は、低反発発泡ウレタン層３２と接する表面に、碁盤状に縦横の溝３３ｂが形成されてキューブ状カット面３３ｃが形成されている。特に、図４の平面図に図示するように、このキューブ状カット面３３ｃの大きさを、就寝者が就寝した時に頭部が位置する場所と足部が位置する場所では小さな大きさとし、背部と脚部が位置する場所では中位の大きさとし、そして臀部が位置する場所では大きなカット面として形成することによって、体圧分布が均等となり、体圧がほどよく分散される効果を発揮する。
【００２４】
また、高弾性発泡ウレタン層３３には、図３、図４に図示するように、厚み方向に沿って複数個の貫通孔３５が穿孔されており、該貫通孔３５に、高弾性発泡ウレタン層３３をなす発泡ウレタンよりも硬度の高い柱状発泡ウレタン（柱状クッション部材）３６・・・が挿入装填されている。
そして、この場合、貫通孔３５に装填される柱状発泡ウレタン３６は、敷き布団の長手方向の中心線位置に沿った場所の貫通孔３５ａには、高弾性発泡ウレタン層３３をなす発泡ウレタンよりも硬度の高い柱状発泡ウレタン３６ａ・・・（○印）が装填され、そして前記中心線を挟んでやや離れた位置の両側に沿った場所の貫通孔３５ｂには、柱状発泡ウレタン３６ａよりも硬度のやや低い柱状発泡ウレタン３６ｂ・・・（●印）が装填されている。
【００２５】
また、身体の形に合わせて柱状発泡ウレタン３６・・の数を、中央部（臀部の位置）の場所には多くし、頭部や足部が位置する布団の両端部の場所には少い数にして配されており、より効果的な指圧効果を発揮するようになっている。
なお、上記柱状発泡ウレタン３６を装填した貫通孔３５は、就寝時の就寝者の体圧を受けて僅かな隙間が生じ、発泡ウレタン材３０の通気性を確保する効果もある。
【実施例１】
【００２６】
敷き布団１００の実施例として、以下の仕様諸元を有する敷き布団を製造した。
＜敷き布団１００の寸法＞
長さ：１９８ｃｍ、幅：９９ｃｍ、厚み：１１ｃｍ。
＜表面層１０の仕様諸元＞
表面生地１２：ラインベロア、
中生地１３：木綿（桟付きマチ１ａ、１ｂ縫着）、
充填物１１：羊毛／ニードル綿１．０ｋｇ、
厚み：２．５ ｃ ｍ。
【００２７】
＜裏面層２０の仕様諸元＞
裏面生地２２：２６５本サテン、
中生地２３：木綿（桟付きマチ１ａ、１ｂ配設）、
充填物２１：モイスケア（５０％）＋低融点ポリエステル綿４デニール（２０％）＋吸水性ポリエステル綿１３デニール（３０％）  ０．７ｋｇ、
厚み：２．５ｃｍ。
【００２８】
＜発泡ウレタン材３０＞
低反発発泡ウレタン３２を上層、高弾性発泡ウレタン３３を下層にして２重層に形成し、６６×９９（ｃｍ）、厚さ６ｃｍのユニットを３個、それぞれメッシュ生地で被覆した。
低反発発泡ウレタン３２：表面にプロファイル加工を施す、厚み２ｃｍ。
高弾性発泡ウレタン３３：厚み４ｃｍ、表面にキューブ状カット面３３ｃを形成、又厚み方向に沿って複数個の貫通孔３５を穿孔し、該各貫通孔３５に、より硬度の高い柱状発泡ウレタン３６を挿入装填した。
【００２９】
キューブ状カット面３３ｃ：臀部対応場所に大きなカット面を、背部と脚部が位置する場所は中位の大きさのカット面を、頭部と足部が位置する長手方向の両端の場所は小さな大きさのカット面３３ｃを形成した。
柱状発泡ウレタン３６：長手方向の中心線位置に沿った場所の貫通孔３５ａには、硬度の高い柱状発泡ウレタン３６ａを２列にわたって装填し（図４の○印）、そして、前記中心線を挟んだ両側に沿った場所の貫通孔３５ｂには、これよりの硬度の低い柱状発泡ウレタン３６ｂを１列又は２列にして装填して配し（図４の●印）、身体の部位に合わせて装填する柱状発泡ウレタンの数を、中央部（臀部の位置）の場所には多くし、頭部や足部が位置する布団の両端部の場所には少い数にして配した（図４参照）。
【００３０】
＜使用体験の結果＞
実施例の敷き布団で就寝体験し、その性能を確認し、以下の結果を得た。
身体を柔軟に包み込まれるような感触が得られ、しかも身体が均等に保持されて、姿勢を崩されることなく正しい姿勢が保たれ、寝疲れを生ずることなく安眠することが出来た。
その上、身体の各部の筋肉が、指圧作用によって適当に揉み解かれて、疲労が癒され、心地よい目覚めが出来た。
【００３１】
さらに、発泡ウレタン材が３分割されていて３層にして折り畳みが容易にできるので、布団の床敷きや、収納保管のための運搬等の取り扱いが容易になるばかりでなく、収納保管空間を有効に活用し得る。しかも、発泡ウレタン材が３分割されて形成されているにもかかわらず、就寝者の寝返り等の外力の負荷によって分割されている発泡ウレタンが遊動したり、重なり現象を惹起することなく、常に一様な平滑床面を形成保持していた。
また、発泡ウレタン材が３分割されいるので、発泡ウレタンの出し入れが容易に出来るので、適宜の敷き布団のクリーニングが容易で、清潔さを保つことが出来た。
【実施例２】
【００３２】
図５は、本発明の他の実施例を示す敷き布団の長手方向に沿って切断した断面図である。敷き布団２００は、表面層１０−１とクッション部材６０と裏面層６５とから構成されている。
【００３３】
＜表面層１０−１の構成＞
就寝者の肌に直接触れる表面層１０−１は、伸縮性が良くやさしい肌触りで保温性に優れるアンゴラ製ジャガード織りベロアニット等の表生地１２−１と中生地１３を敷き布団形状の長方形にし、この間に羊毛成形わたから成る羊毛層１１−１と、羊毛とポリエステルから成る混固わた層１１−２を詰め、縁辺部を縫い合わせたものである。
表生地１２−１は、アンゴラ製ニットであるので、肌触りがやさしく保温性に優れている。また、羊毛層１１−１は、羊毛の持つ独特の縮れがフワッとした柔らかさと弾力性を生み出す。更に、羊毛は吸湿性に優れ、眠っている間の汗を吸収し、素早く発散する効果を有している。混固わた層１１−２は、羊毛層と後述するクッション部材６０との間に位置し、クッション部材６０への体圧の伝達を円滑にして理想の体圧分散を可能にする。
【００３４】
＜クッション部材６０の構成＞
クッション部材６０は、クッションに富んだ通気性層６１とアレルギー症状の原因となるタンパク質を吸着分解し、アンモニア等を分解する吸着層６２と、穴あきポリエステル固わた（バイオシル加工）から成る姿勢保持層６３と、湿気をコントロールする吸湿層６４とを重ねた４層構造となっている。
通気性層６１は、空気の層が生み出す通気性とクッション性を有しており、体圧を受け止めて分散し、理想の睡眠姿勢と心地よさを生み出す。また、通気性によりふとん内部の蒸れを抑制する。
吸着層６２は、レーヨン１００％のデオメタフィーシート（１５０ｇ／ｍ２）から構成されている。
姿勢保持層６３は、ポリエステル１００％のバイオシル加工固わたから成り、適度な固さで睡眠姿勢を保持するとともに繊維上の菌の増殖を抑制する。
吸湿層６４は、モイスケア（登録商標）３０％、ポリエステル７０％の固わたから成り、中央部には備長炭入りクッション材を備えている。これにより、睡眠姿勢を保持するとともに、匂いや余分な水分を吸収する。
【００３５】
＜裏面層６５の構成＞
畳等の床面と接触する裏面層６５は、裏生地６６と中生地６７を敷き布団形状に長方形状にし、これらの間にモイスケア（登録商標）５０％、ポリエステル５０％の吸湿性に優れた詰め物６８を配置し、重ね合わせ、多頭ミシンキルトなどの縫製を施してこれらを一体化するとともに、これら裏生地６６と中生地６７の縁辺部を縫い合わせる。
また、中生地６７の上面には裏面層６５の長さを３分割する位置に桟付きマチ１ａ、１ｂが取り付けられている。なお、裏生地６６としてシステマサテン地等を好適に使用することができる。
【００３６】
以上のような多重構造とした場合、体圧をバランスよく分散し、快適な睡眠姿勢を保持することができる。また、湿気やアレルギー症状の原因物質を吸着して衛生的な眠りを達成することができる。
【産業上の利用可能性】
【００３７】
本発明の敷き布団は、一般の家庭用敷き布団や、ベット用敷き布団としては勿論のこと、ホテル、旅館、保養所の寝具として、更には医療機関での患者用の寝具として等、広範囲にわたって有効な寝具として活用することができる。
【図面の簡単な説明】
【００３８】
【図１】本発明の敷き布団の一例を説明する一部切開斜視図。
【図２】図１の敷き布団を長手方向Ａ−Ａ’に沿って切断した断面図。
【図３】本発明の敷き布団の分解図。
【図４】本発明の敷き布団に用いる高弾性発泡ウレタンの一例を説明する平面図。
【図５】本発明の他の実施例を示す敷き布団の長手方向に沿って切断した断面図。
【図６】従来の敷き布団に用いられている発泡ウレタン使用のクッション層の一例を説明する一部切開斜視図。
【符号の説明】
【００３９】
１００，２００…敷き布団、１０，１０−１…表面層、１１…詰め物、１１−１…羊毛層、１１−２…混固わた層、２０，６５…裏面層、２１…詰め物、３０…発泡ウレタン材（クッション部材）、１ａ、１ｂ…桟付きマチ、３ａ、３ｂ、３ｃ…３分割された各室（空洞部）、４０…周部マチ生地部材、３１…ブロック、３２…低反発発泡ウレタン層（低反発クッション部材層）、３３…高弾性発泡ウレタン層（高弾性クッション部材層）、３３ｂ…溝、３３ｃ…キューブ状カット面、３５…貫通孔、３６ａ、３６ｂ…柱状発泡ウレタン（柱状クッション部材）、６０…クッション部材  ６１…通気性層、６２…吸着層、６３…姿勢保持層、６４…吸湿層
【図１】
2005193007.tif 000003
【図２】
2005193007.tif 000004
【図３】
2005193007.tif 000005
【図４】
2005193007.tif 000006
【図５】
2005193007.tif 000007
【図６】
2005193007.tif 000008